(57)【特許請求の範囲】
【請求項１】
灯具の円形の取付部とセードの円形の取付部の一方に設けられた嵌合溝に他方に設けられた嵌合突起を嵌合させ回転させて取付ける照明装置であって、
前記嵌合溝に全体略Ｃ字形状を有するとともにＣ字形状の内側または外側に突出する突出部を有するバネ部材を設けたことを特徴とする照明装置。
【請求項２】
前記灯具の取付部の外周面に前記嵌合溝を設けるとともに、前記セードの取付部の内周面に前記嵌合突起を設け、かつ前記バネ部材の突出部を外側へ突出させて設けたことを特徴とする請求項１記載の照明装置。
【請求項３】
前記バネ部材の突出部を、該バネ部材における前記嵌合突起の取付時回転方向終端の近傍に設けたことを特徴とする請求項1または２記載の照明装置。
【請求項４】
前記バネ部材の少なくとも一端を前記嵌合溝に設けたストッパによって係止することを特徴とする請求項1ないし請求項３のいずれかに記載の照明装置。
【発明の詳細な説明】
【技術分野】
【０００１】
本発明は、光源を有する灯具にセードを取付けた照明装置に関するものである。
【背景技術】
【０００２】
図７に示すように、従来の照明装置１００は、灯具本体１０２の開口に、前面にセードを兼ねたガラス１０１ａを有するランプ１０１を取付けている。この際、全体Ｃ字形状をしたバネ１０３を灯具本体１０２の開口に取付けて、ランプ１０１の脱落を防止している（例えば特許文献１参照）。
【０００３】
すなわち、ランプ１０１を灯具本体１０２の内部に収納し、ランプ１０１のつば部１０１ｂをバネ１０３により押え、バネ１０３に設けられている凸部１０３ａを灯具本体１０２に設けられている係止孔１０２ａに挿嵌して、ランプ１０１を灯具本体１０２の内部に取付けている。
【０００４】
しかしながら、前述した照明装置１００の構成では、バネ１０３が灯具本体１０２から脱落すると直ちにランプ１０１が落下することになり、外れやすいという問題があった。また、バネ１０３が見える位置に取付けられているため、外観が悪いという問題があった。
このため、近年、灯具本体に対してセードを回転させて取付ける照明装置が用いられるようになってきた（例えば特許文献２参照）。
【特許文献１】実開昭６１−１４２３０２号公報（第１図）
【特許文献２】特開２００１−２１６８３０号公報
【発明の開示】
【発明が解決しようとする課題】
【０００５】
しかしながら、特許文献２に記載の照明装置においては、灯具本体に対してセードを回転させて取付ける構造ではあるが、取付状態においてセードが灯具本体に対して回転して緩むことがあり、セードの脱落を確実に防止できないという問題があった。
【０００６】
本発明は、従来の問題を解決するためになされたものであり、簡単な構造により確実にセードの脱落を防止することができる照明装置を提供することを目的とする。
【課題を解決するための手段】
【０００７】
本発明の照明装置は、灯具の円形の取付部とセードの円形の取付部の一方に設けられた嵌合溝に他方に設けられた嵌合突起を嵌合させ回転させて取付ける照明装置であって、前記嵌合溝に全体略Ｃ字形状を有するとともにＣ字形状の内側または外側に突出する突出部を有するバネ部材を設けた構成を有している。
【０００８】
この構成により、灯具の円形の取付部とセードの円形の取付部の一方に設けられた嵌合溝に、他方に設けられた嵌合突起を嵌合させ回転させることにより、セードを灯具に取付ける。このとき、嵌合突起がバネ部材の突出部を乗り越えるまでセードを相対的に回転させる。これにより、セードが灯具に対して緩む方向へ回転しようとしても一定以上の力で回転させなければバネ部材の突出部を乗り越えることができないので、外れるのを確実に防止することができる。
【０００９】
また、本発明の照明装置は、前記灯具の取付部の外周面に前記嵌合溝を設けるとともに、前記セードの取付部の内周面に前記嵌合突起を設け、かつ前記バネ部材の突出部を外側へ突出させて設けた構成を有している。
【００１０】
この構成により、灯具の取付部の外周面に設けられた嵌合溝に、セードの取付部の内周面に設けられた嵌合突起を嵌合させ回転させてセードを灯具に取付ける。この際、セードの嵌合突起が嵌合溝に設けられているバネ部材の突出部を乗り越えるように取付けることにより、外れるのを確実に防止することができる。
【００１１】
さらに、本発明の照明装置は、前記バネ部材の突出部を、該バネ部材における前記嵌合突起の取付時回転方向終端の近傍に設けた構成を有している。
【００１２】
この構成により、バネ部材の弾性を有効に活用することができ、良好な取付感が得られる。
【００１３】
さらに、本発明の照明装置は、前記バネ部材の少なくとも一端を前記嵌合溝に設けたストッパによって係止する構成を有している。
【００１４】
この構成により、嵌合突起がバネ部材の突出部を乗り越える際に、バネ部材が嵌合溝に対してずれるのを防止することができる。
【発明の効果】
【００１５】
本発明は、灯具の円形の取付部とセードの円形の取付部の一方に設けられた嵌合溝に、他方に設けられた嵌合突起を嵌合させ回転させることにより、セードを灯具に取付ける。このとき、嵌合突起がバネ部材の突出部を乗り越えるまでセードを相対的に回転させる。これにより、セードが灯具に対して緩む方向へ回転しようとしても一定以上の力で回転させなければバネ部材の突出部を乗り越えることができないので、外れるのを確実に防止することができるという効果を有する照明装置を提供することができるものである。
【発明を実施するための最良の形態】
【００１６】
以下、本発明の実施の形態の照明装置について、図面を用いて説明する。
図１は本発明の第１の実施の形態の照明装置の分解斜視図、図２は灯具の取付部を下方から見た斜視図、図３はセードの取付部を上方から見た斜視図、図４はバネ部材の平面図、図５はバネ部材の端部の係止状態を示す斜視図、図６（Ａ）はセードの嵌合突起がバネ部材の突出部を乗り越える前の状態を示す斜視図、図６（Ｂ）はセードの嵌合突起がバネ部材の突出部を乗り越えた後の状態を示す斜視図である。
【００１７】
図１に示すように、本発明の照明装置１０は、光源であるランプ２１を内部に有する灯具２０と、灯具２０の照明方向前部に取付けられるセード３０を有している。灯具２０とセード３０は、灯具２０の円形の取付部２２とセード３０の円形の取付部３１の一方（ここでは灯具２０の取付部２２）に設けられた嵌合溝２３に、他方（ここではセード３０の取付部３１）に設けられた嵌合突起３２を嵌合させ回転させて、着脱可能に取付けるようになっている。そして、嵌合溝２３に全体略Ｃ字形状を有するとともにＣ字形状の内側または外側に突出する突出部４１を有するバネ部材４０が設けられている。
【００１８】
図１に示すように、灯具２０は、例えば天井に取付けるベースプレート２４と、このベースプレート２４に旋回可能に取付けられた旋回板２５と、旋回板２５に回動可能に取付けられた一対のアーム部材２６を有しており、アーム部材２６の先端（ここでは下端）に灯具本体２７が回動可能に取付けられている。灯具本体２７は先端が開口した有底筒状の部材であり、内部にはランプ２１が取付けられる。
従って、灯具本体２７はあらゆる方向に向きを設定することができ、ランプ２１の光はあらゆる方向へ照射されることができる。
【００１９】
図２に示すように、灯具２０の取付部２２は円筒形状をしており、先端部の外周面には嵌合溝２３が設けられている。嵌合溝２３には、セード３０の嵌合突起３２が通過することができる開口部２３ａが設けられている。すなわち、セード３０の嵌合突起２３が２箇所に設けられている場合には、開口部２３ａも嵌合突起２３の位置に対応して２箇所以上設ける。なお、開口部２３ａには、バネ部材４０の端部を係止するためのストッパ２８が設けられている。また、図示はしないが、取付時に、セード３０の嵌合突起３２を嵌合溝２３に嵌合させてセード３０を回転させる際に、セード３０が所定の角度以上回転しないように、セード３０の回転方向終端にストッパが設けられている。
【００２０】
図３に示すように、セード３０は下端側に照射面を有する全体円筒形状をしており、透明あるいは半透明の樹脂やガラスにより形成されている。セード３０の上端部には円筒形状の取付部３１が設けられており、取付部３１の内周面に嵌合突起３２が内側へ突出して設けられている。嵌合突起３２の形状は、例えば台形をしており、両端部には傾斜面を有するのが望ましい。なお、ここでは２箇所に嵌合突起３２を設けてあるが、１箇所でも可能である。また、３箇所以上設けることもできる。
【００２１】
図４に示すように、バネ部材４０は一部に開口部４２を有する全体略Ｃ字形状をしており、外側へ突出した突出部４１を有している。バネ部材４０の全体的な半径は、嵌合溝２３の外周面、すなわち、灯具２０の取付部２２の外周面の内径よりも小さめにするのが望ましい。従って、バネ部材４０を嵌合溝２３の内部に取付ける際には、バネ部材４０の半径を大きくする方向へ拡げておき、嵌合溝２３の内部に収容してバネ部材４０を解放する。これにより、バネ部材４０は、弾性力により嵌合溝２３の内部において縮径するので、嵌合溝２３から脱落しないようになる。
【００２２】
突出部４１は、バネ部材４０における嵌合突起３２の取付時回転方向（図４中矢印Ａ方向）の終端４３ａの近傍に設けるのが望ましい。これにより、バネ部材の弾性を有効に活用することができ、良好な取付感が得られる。なお、突出部４１の形状は特に限定するものではないが、例えば三角形状や台形等傾斜面を有するのが望ましい。また、バネ部材４０の断面形状は任意であるが、ここでは、例えば円形断面を有している。
【００２３】
また、図５に示すように、バネ部材４０の先端は折り曲げられて係止部４３が設けられており、この係止部４３は、嵌合溝２３の開口部２３ａに設けられているストッパ２８に引っ掛けられて係止される。これにより、嵌合突起３２がバネ部材４０の突出部４１を乗り越える際に、バネ部材４０が嵌合溝２３に対してずれるのを防止することができる。なお、係止部４３は、バネ部材４０の両端に設けるのが望ましい。
【００２４】
次に、セード３０を灯具２０に取付ける動作について説明する。
セード３０の嵌合突起３２を灯具２０の嵌合溝２３の開口部２３ａの位置に合わせて、セード３０の取付部３１を灯具２０の取付部２２の外側に嵌め、セード３０を灯具２０に対して相対的に取付方向へ回転する。図６（Ａ）に示すように、セード３０の嵌合突起３２が、嵌合溝２３に取付けられているバネ部材４０の突出部４１に当接するので、さらにセード３０を回転させると、図６（Ｂ）に示すように、嵌合突起３２はバネ部材４０の突出部４１を乗り越えて、バネ部材４０の突出部４１と嵌合溝２３に設けられているストッパ（図示省略）との間に保持されることになる。このとき、バネ部材４０の端部に設けられている係止部４３は、嵌合溝２３に設けられているストッパ２８によって係止されているので、ずれない。
【００２５】
以上説明したように、本発明の照明装置１０によれば、灯具２０の円形の取付部２１に設けられた嵌合溝２３に、セード３０の円形の取付部３１に設けられた嵌合突起３２を嵌合させ回転させることにより、セード３０を灯具２０に取付ける。このとき、嵌合突起３２がバネ部材４０の突出部４１を乗り越えるまでセード３０を相対的に回転させることにより、セード３０が灯具２０に対して緩む方向へ回転しようとしても一定以上の力で回転させなければバネ部材４０の突出部４１を乗り越えることができなくなるので、簡易かつ安価な部材により、セード３０が灯具２０から外れるのを確実に防止することができる。
【００２６】
なお、本発明の照明装置は、前述した実施形態に限定されるものでなく、適宜な変形，改良等が可能である。
例えば、前述した実施形態においては、灯具２０の取付部２２の外周面に嵌合溝２３を設け、セード３０の取付部３１の内周面に嵌合突起３２を設けた場合について説明したが、この他、灯具２０の取付部２２の内周面に嵌合溝を設け、セード３０の取付部３１の外周面に嵌合突起を設けることもできる。この場合には、バネ部材４０に設ける突出部を内側へ突出するように設けるのがよい。また、バネ部材４０の全体半径を灯具２０の取付部２２の内周面よりも大きめにしておくのが望ましい。
あるいは、灯具２０の取付部２２に嵌合突起を設け、セード３０の取付部３１に嵌合溝を設けることも可能である。
【００２７】
また、前述した実施形態においては、灯具２０の取付部２２および灯具本体２７を円形断面としたが、取付部２２が円形であれば灯具本体２７の断面形状は円形に限定するものではない。また、セード３０についても同様に、取付部３１が円形であれば、セード３０の本体の形状は円形に限定するものではない。
【００２８】
また、前述した実施形態においては、セード３０が灯具２０に対して回転しすぎないように嵌合溝２３にストッパを設けたが、バネ部材４０に突出部４１を複数箇所設けて、突出部４１間に嵌合突起３２を保持するようにすることもできる。
【産業上の利用可能性】
【００２９】
以上のように、本発明にかかる照明装置は、灯具の円形の取付部とセードの円形の取付部の一方に設けられた嵌合溝に、他方に設けられた嵌合突起を嵌合させ回転させることにより、セードを灯具に取付ける。このとき、嵌合突起がバネ部材の突出部を乗り越えるまでセードを相対的に回転させる。これにより、セードが灯具に対して緩む方向へ回転しようとしても一定以上の力で回転させなければバネ部材の突出部を乗り越えることができないので、外れるのを確実に防止することができるという効果を有し、光源を有する灯具にセードを取付けた照明装置等として有用である。
【図面の簡単な説明】
【００３０】
【図１】図１は本発明の第１の実施の形態の照明装置の分解斜視図
【図２】灯具の取付部を下方から見た斜視図
【図３】セードの取付部を上方から見た斜視図
【図４】バネ部材の平面図
【図５】バネ部材の端部の係止状態を示す斜視図
【図６】（Ａ）はセードの嵌合突起がバネ部材の突出部を乗り越える前の状態を示す斜視図、（Ｂ）はセードの嵌合突起がバネ部材の突出部を乗り越えた後の状態を示す斜視図
【図７】従来の照明装置を示す分解図
【符号の説明】
【００３１】
１０  照明装置
２０  灯具
２２  取付部
２３  嵌合溝
２８  ストッパ
３０  セード
３１  取付部
３２  嵌合突起
４０  バネ部材
４１  突出部
４３  係止部
４３ａ  終端
【図１】
0004919514.tif 000002
【図２】
0004919514.tif 000003
【図３】
0004919514.tif 000004
【図４】
0004919514.tif 000005
【図５】
0004919514.tif 000006
【図６】
0004919514.tif 000007
【図７】
0004919514.tif 000008